(57)【要約】【課題】液晶表示装置のバックライトとしてＥＬを用いた場合、液晶表示装置が大型化されるとＥＬもそれに伴い大型化される。ＥＬは、薄いガラス基板上に積層された構造であるので、大型化するとねじれやゆがみ等の機械的強度の不足が問題となる。【解決手段】平板上のエレクトロルミネッセンス発光素子の発光面に、桟状に組上げられたエレクトロルミネッセンス発光素子部材を接合した。【選択図】　図１
2004101689.tif 000002
【特許請求の範囲】
【請求項１】
バックライトにエレクトロルミネッセンス発光素子を用いた液晶表示装置において、
前記バックライトは、平板上のエレクトロルミネッセンス発光素子と、
この平板上のエレクトロルミネッセンス発光素子の発光面に接合した、桟状に組上げられたエレクトロルミネッセンス発光素子部材と、からなることを特徴とする液晶表示装置。
【請求項２】
請求項１に記載の液晶表示装置において、
前記桟状に組上げられたエレクトロルミネッセンス発光素子部材は、桟部分の形状が櫛の歯状であることを特徴とする液晶表示装置。
【請求項３】
請求項１に記載の液晶表示装置において、
前記桟状に組上げられたエレクトロルミネッセンス発光素子部材は、桟部分の形状が格子状であることを特徴とする液晶表示装置。
【請求項４】
請求項１に記載の液晶表示装置において、
前記桟状に組上げられたエレクトロルミネッセンス発光素子部材は、桟部分の形状が蜂の巣状であることを特徴とする液晶表示装置。
【請求項５】
請求項１乃至請求項４の何れかに記載の液晶表示装置において、
前記桟状に組上げられたエレクトロルミネッセンス発光素子部材は、桟部分が均等に配置されていることを特徴とする液晶表示装置。
【請求項６】
請求項１乃至請求項５の何れかに記載の液晶表示装置において、
前記桟状に組上げられたエレクトロルミネッセンス発光素子部材は、少なくとも桟部分が両面発光のエレクトロルミネッセンス発光素子であることを特徴とする液晶表示装置。
【請求項７】
請求項１乃至請求項６の何れかに記載の液晶表示装置において、
前記桟状に組上げられたエレクトロルミネッセンス発光素子部材は、外枠部分及び／または桟部分が山形となっていることを特徴とする液晶表示装置。
【発明の詳細な説明】
【０００１】
【発明の属する技術分野】
本発明は、バックライトにエレクトロルミネッセンス発光素子を用いた液晶表示装置に関わり、特に大型の液晶表示装置に好適に適用できるものである。
【０００２】
【従来の技術】
図５に従来の液晶表示装置の概略の構造を示す（例えば、特許文献１参照）。
【０００３】
図５において、５０１は液晶パネルであり、この液晶パネルの両面に偏光板５０２が設けられている。この偏光板５０２は互いにその偏光方向を９０度ずらして設けられている。また、液晶パネル５０１の下面には、液晶パネル５０１を照らすためのバックライト５０３が設けられている。かかるバックライト５０３は、光源となる蛍光管５０５及び蛍光管からの光を均一に液晶パネル全面に分散するための導光板５０４、導光板５０４の光を液晶パネル５０１方向に反射するための反射板５０６等から構成される。
【０００４】
しかし、上記のようにバックライトの光源に蛍光管を用いた従来の構成では、蛍光管を駆動するためのインバーター回路が必要になる、また、蛍光管からの光を均一に液晶パネル全面に分散するための導光板等が必要になる等の理由から、バックライトの薄型化・軽量化に課題を抱えていた。
【０００５】
そこで、バックライトにエレクトロルミネッセンス発光素子（以下、ＥＬという）を用いることが提案されている。かかるＥＬを用いた液晶表示装置については、特許文献２等で開示されている。
【０００６】
かかる特許文献では、バックライトとして用いるため白色発光のＥＬを採用している。図６にそのＥＬの構造を示す。
【０００７】
図６において、６０１はガラス基板である。このガラス基板６０１の上に透明電極６０２、第１絶縁層６０３、発光層６０４、第２絶縁層６０５、背面電極６０６が積層される。
【０００８】
この透明電極６０２と背面電極６０６の間に電圧を印加することにより発光させることができる。
【０００９】
尚、上記各層の膜厚の総計は、数μｍ程度である。また、ガラス基板の厚さは、１から２ｍｍ程度である。更に、白色発光を得るための材料としては、ＺｎＳ；Ｐｒ、ＳｒＳ；Ｐｒ、ＳｒＳ；Ｃｃ、Ｅｕ等が知られている。
【００１０】
このように構成されたＥＬをバックライトとして用いることにより、バックライトとして蛍光管を用いたものより軽量化・薄型化が図れる。
【００１１】
【特許文献１】
特開平１１−１６０６９９号公報
【特許文献２】
特開平４−２４３２２３号公報
【００１２】
【発明が解決しようとする課題】
液晶表示装置のバックライトには高輝度発光が求められる。この要求に対して、発光材料に有機化合物を用いた有機ＥＬは、高輝度の発光が得られることが知られている。従って、一般には、液晶表示装置のバックライトとしては有機ＥＬが用いられる。
【００１３】
しかしながら、高輝度を得るために、ＥＬに高電圧をかけると、寿命が著しく短縮されるという問題がある。
【００１４】
また、液晶表示装置が大型化されるとＥＬもそれに伴い大型化される。ＥＬは、上述のように薄いガラス基板上に積層された構造であるので、大型化するとねじれやゆがみ等の機械的強度の不足が問題となる。
【００１５】
本発明は、以上のような課題に鑑み、ＥＬを用いたバックライトの高輝度化と機械的強度の補強を同時に改善することを目的とするものである。
【００１６】
【課題を解決するための手段】
上記課題を解決するため、本発明は以下のような手段を講じた。
【００１７】
即ち、本発明に係る液晶表示装置は、バックライトにエレクトロルミネッセンス発光素子を用いた液晶表示装置において、前記バックライトは、平板上のエレクトロルミネッセンス発光素子と、この平板上のエレクトロルミネッセンス発光素子の発光面に接合した、桟状に組上げられたエレクトロルミネッセンス発光素子部材と、からなるようにした。
【００１８】
ここで、前記桟状に組上げられたエレクトロルミネッセンス発光素子部材は、桟部分の形状が櫛の歯状であることが好ましい。
【００１９】
また、前記桟状に組上げられたエレクトロルミネッセンス発光素子部材は、桟部分の形状が格子状であっても良い。
【００２０】
また、前記桟状に組上げられたエレクトロルミネッセンス発光素子部材は、桟部分の形状が蜂の巣状であっても良い。
【００２１】
加えて、前記桟状に組上げられたエレクトロルミネッセンス発光素子部材は、桟部分が均等に配置されていることが好ましい。
【００２２】
加えて、前記桟状に組上げられたエレクトロルミネッセンス発光素子部材は、少なくとも桟部分が両面発光のエレクトロルミネッセンス発光素子であることが好ましい。
【００２３】
更に、前記桟状に組上げられたエレクトロルミネッセンス発光素子部材は、外枠部分及び／または桟部分が山形となっていることが好ましい。
【００２４】
尚、本発明に係る各構成要素は、可能な限り互いに組み合わせることが可能である。
【００２５】
【発明の実施の形態】
本発明に係る液晶表示装置に使用されるバックライトの構造を図１に示す。
【００２６】
図１において、１０１は平面状のＥＬである。また、１０２は桟状に組上げたＥＬ部材である。この桟状ＥＬ部材１０２は、桟部１０２−１と外枠部１０２−２とから構成される。この平面状ＥＬ１０１と桟状ＥＬ部材１０２とを結合させた状態が図２である。尚、図１中の矢印は発光方向を示したものである。
【００２７】
このように平面状ＥＬ１０１に桟状ＥＬ部材１０２を結合させることで、ねじれやゆがみ等の機械的強度に対して補強することができる。尚、この結合は接着剤等で実現できる。
【００２８】
また、平面状ＥＬ１０１に桟状ＥＬ部材１０２が加わることにより、ＥＬの発光面積が増え、その分バックライト全体としての輝度の向上が図れることになる。
【００２９】
ここで、桟状ＥＬ部材１０２については、外枠部分１０２−２には片面発光のＥＬを用い、内部の桟部分１０２−１には両面発光のＥＬを用いることにより、より高輝度化が図れる。また、桟部分１０２−１を均等に設けることにより、輝度の均一化が図れる。
【００３０】
尚、両面発光のＥＬについては、特開２００１−３４５１８４号公報等で開示されている。
【００３１】
図３に桟状ＥＬ部材１０２の形状パターンの例を示している。図３は、図２の状態を上面から見た様子を示している。従って、図３（ａ）は図２の桟状ＥＬ部材１０２のパターン（即ち、櫛の歯状に桟部分１０２−１が構成されているパターン）を示していることになる。図３では、その他に桟状ＥＬ部材１０２の桟部分１０２−１を格子状にしたパターン（同図（ｂ））、蜂の巣状にしたパターン（同図（ｃ））等を示している。同図（ｂ）、（ｃ）のようなパターンにすることにより、同図（ａ）のパターンよりも、より強い機械的強度、および高輝度化、輝度の均一化が図れる。
【００３２】
次に、本発明に係る第２の実施形態を図４に示す。
【００３３】
図４において、４０１は平面状のＥＬである。また、４０２は桟状に組上げたＥＬ部材である。この桟状ＥＬ部材４０２は、桟部４０２−１と外枠部４０２−２とから構成される。
【００３４】
第１の実施形態では、桟状ＥＬ部材は、その発光面が平面状ＥＬに対して直角に交わる方向に設けられていたが、第２の実施形態では、桟状ＥＬ部材４０２の桟部４０２−１と外枠部４０２−２に角度をもたせ、山形にしたものである。
【００３５】
このように角度を持たせることにより、桟状ＥＬ部材４０２からの発光方向が斜め上方になり、光の利用効率が向上する。それと同時に、桟部４０２−１が山形形状となりゆがみやねじれ等の機械的強度に対しても、より強くなる。
【００３６】
尚、以上の実施形態において、桟状ＥＬ部材の外枠部分は本発明において必須の構成ではなく、省略することも可能である（即ち、省略しても本発明の目的、効果は達成し得る）。また、第１の実施形態と第２の実施形態の各構成要素は可能な限り相互に組み合わせることができるものである。
【００３７】
【発明の効果】
本発明によれば、ＥＬをバックライトとして用いた場合の機械的強度を補強することができ、また、輝度の向上および均一化が図れる。
【図面の簡単な説明】
【図１】本発明に係る液晶表示装置のバックライトの構造図である。
【図２】本発明に係る液晶表示装置のバックライトの構造図である。
【図３】本発明に係る液晶表示装置のバックライトの他の構造パターンである。
【図４】本発明に係る液晶表示装置のバックライトの他の構造図である。
【図５】従来の液晶表示装置の構成図である。
【図６】従来のＥＬの構造図である。
【符号の説明】
１０１、４０１・・・平板上ＥＬ、１０２、４０２・・・桟状ＥＬ部材、１０２−１、４０２−１・・・桟状ＥＬ部材の桟部、１０２−２、４０２−２・・・桟状ＥＬ部材の枠部、５０１・・・液晶パネル、５０２・・・偏光板、５０３・・・バックライト、５０４・・・導光板、５０５・・・蛍光管、５０６・・・反射板、６０１・・・ガラス基板、６０２・・・透明電極、６０３・・・第１絶縁層、６０４・・・発光層、６０５・・・第２絶縁層、６０６・・・背面電極
【図１】
2004101689.tif 000003
【図２】
2004101689.tif 000004
【図３】
2004101689.tif 000005
【図４】
2004101689.tif 000006
【図５】
2004101689.tif 000007
【図６】
2004101689.tif 000008